(57)【要約】【課題】  パーソナルデジタル製品にデジタルオーディオビデオマルチメディアを記録及び表示させる方法及び装置の提供。【解決手段】  変調デインタレースビデオ信号とアナログオーディオ信号を提供してデインタレースビデオ信号の復調及びデインタレースを行ない、それと同時にアナログオーディオ信号のデジタル変換処理を行なってデジタルオーディオ信号を獲得し、デインタレースビデオ信号とデジタルオーディオ信号を圧縮して圧縮デインタレースビデオ信号と圧縮デジタルオーディオ信号を獲得し、圧縮デインタレースビデオ信号と圧縮デジタルオーディオ信号を同期化処理して同期圧縮ビデオ信号と同期圧縮オーディオ信号を獲得し、最後に同期圧縮ビデオ信号と同期圧縮オーディオ信号をデジタル装置の処理ユニットに送り、処理ユニットにより同期圧縮ビデオ信号と同期圧縮オーディオ信号のデジタルオーディオビデオマルチメディアを記録するか或いは表示するかを選択する。【選択図】        図２
2004336697.tif 000002
【特許請求の範囲】
【請求項１】
パーソナルデジタル製品にデジタルオーディオビデオマルチメディアを記録及び表示させる方法において、
変調されたインタレースビデオ信号とアナログオーディオ信号の情報を提供し、
該変調されたインタレースビデオ信号に復調とデインタレース処理を行なってデジタル化したデインタレースビデオ信号に変換し、
該アナログオーディオ信号をデジタルオーディオ信号に変換し、
該デインタレースビデオ信号を圧縮処理して圧縮したデインタレースビデオ信号を獲得し、
該デジタルオーディオ信号を圧縮処理して圧縮したデジタルオーディオ信号を獲得し、  該圧縮したデインタレースビデオ信号と該圧縮したデジタルオーディオ信号を同期処理して同期化した圧縮ビデオ信号と圧縮オーディオ信号を獲得し、
この同期化した圧縮ビデオ信号と圧縮オーディオ信号を該パーソナルデジタル製品の処理ユニットに送り、該同期化した圧縮ビデオ信号と圧縮オーディオ信号の記録或いは表示を行なうか或いは記録と表示を同時に行なうかを決定することを特徴とする、パーソナルデジタル製品にデジタルオーディオビデオマルチメディアを記録及び表示させる方法。
【請求項２】
パーソナルコンピュータにデジタルオーディオビデオマルチメディアを記録及び表示させる方法において、
変調されたインタレースビデオ信号とアナログオーディオ信号の情報を提供し、
該変調されたインタレースビデオ信号に復調とデインタレース処理を行なってデジタル化したデインタレースビデオ信号に変換し、
該アナログオーディオ信号をデジタルオーディオ信号に変換し、
該デインタレースビデオ信号を圧縮処理して圧縮したデインタレースビデオ信号を獲得し、
該デジタルオーディオ信号を圧縮処理して圧縮したデジタルオーディオ信号を獲得し、  該圧縮したデインタレースビデオ信号と該圧縮したデジタルオーディオ信号を同期処理して同期化した圧縮ビデオ信号と圧縮オーディオ信号を獲得し、
この同期化した圧縮ビデオ信号と圧縮オーディオ信号を該パーソナルコンピュータのＣＰＵに送り、該同期化した圧縮ビデオ信号と圧縮オーディオ信号の記録或いは表示を行なうか或いは記録と表示を同時に行なうかを決定することを特徴とする、パーソナルコンピュータにデジタルオーディオビデオマルチメディアを記録及び表示させる方法。
【請求項３】
パーソナルデジタル製品にデジタルオーディオビデオマルチメディアを記録及び表示させる装置において、
デインタレースされた動態ビデオ信号に圧縮処理を行ない、このデインタレース動態ビデオ信号の使用する周波数幅を減らすデジタルビデオ信号圧縮ユニットと、
デジタルオーディオ信号を圧縮処理し、該デジタルオーディオ信号の使用する周波数幅を減らすデジタルオーディオ信号圧縮ユニットと、
この圧縮したデインタレースビデオ信号と圧縮したデジタルオーディオ信号を同期処理し、同期化した圧縮ビデオ信号と圧縮オーディオ信号を獲得し、並びにこの同期化した圧縮ビデオ信号と圧縮オーディオ信号を出力するビデオ信号／オーディオ信号同期処理ユニットと、
を具えたことを特徴とする、パーソナルデジタル製品にデジタルオーディオビデオマルチメディアを記録及び表示させる装置。
【請求項４】
パーソナルデジタル製品にデジタルオーディオビデオマルチメディアを記録及び表示させる装置において、
動態ビデオ信号をデインタレース処理してこのインタレースビデオ信号をデインタレースされた動態ビデオ信号に変換するデインタレース処理ユニットと、
このデインタレースされた動態ビデオ信号を圧縮処理してデインタレースされた動態ビデオ信号の使用する周波数幅を減らすデジタルビデオ信号圧縮ユニットと、
デジタルオーディオ信号を圧縮処理してこのデジタルオーディオ信号の使用する周波数幅を減らすデジタルオーディオ信号圧縮ユニットと、
この圧縮したデインタレースビデオ信号とこの圧縮したデジタルオーディオ信号を同期処理して、同期化した圧縮ビデオ信号と圧縮オーディオ信号を獲得し、この同期化した圧縮ビデオ信号と圧縮オーディオ信号を出力するビデオ信号／オーディオ信号同期処理ユニットと、
を具えたことを特徴とする、パーソナルデジタル製品にデジタルオーディオビデオマルチメディアを記録及び表示させる装置。
【請求項５】
パーソナルデジタル製品にデジタルオーディオビデオマルチメディアを記録及び表示させる装置において、
変調されたインタレースビデオ信号を復調してデジタル化した動態ビデオ信号を獲得するデジタルビデオ信号デコードユニットと、
この動態ビデオ信号にデインタレース処理を行なってデインタレースした動態ビデオ信号に変換するデインタレース処理ユニットと、
アナログオーディオ信号をデジタルオーディオ信号に変換するオーディオ信号アナログ／デジタル変換ユニットと、
該デインタレースした動態ビデオ信号を圧縮処理して該デインタレースした動態ビデオ信号の使用する周波数幅を減らすデジタルビデオ信号圧縮ユニットと、
該デジタルオーディオ信号を圧縮処理して該デジタルオーディオ信号の使用する周波数幅を減らすデジタルオーディオ信号圧縮ユニットと、
圧縮したデインタレースビデオ信号と圧縮したデジタルオーディオ信号を同期処理し、同期化した圧縮ビデオ信号と圧縮オーディオ信号を獲得するビデオ信号／オーディオ信号同期処理ユニットと、
同期化した圧縮ビデオ信号と圧縮オーディオ信号を出力して該同期化した圧縮ビデオ信号と圧縮オーディオ信号の表示に供する出力バスインタフェースユニットと、
パーソナルデジタル製品中に位置して該同期化した圧縮ビデオ信号と圧縮オーディオ信号を記録或いは表示するか、或いは記録と表示を同時に行なうかを制御するのに用いられる処理ユニットと、
を具えたことを特徴とする、パーソナルデジタル製品にデジタルオーディオビデオマルチメディアを記録及び表示させる装置。
【発明の詳細な説明】
【技術分野】
【０００１】
本発明はパーソナルデジタル製品でデジタルオーディオビデオマルチメディアを処理する方法に係り、特に、パーソナルデジタル製品にデジタルオーディオビデオマルチメディアを記録及び表示させる方法及び装置に関する。
【背景技術】
【０００２】
現在の情報テクノロジーが発達した状況にあって、アナログ式のテレビジョン、音響装置と記録再生機等の製品は、デジタル式の製品、例えばパソコン、ノートブック型コンピュータ、ＰＤＡ、デジタルビデオカメラ及びデジタルカメラ及び高解析度テレビジョン（Ｈｉｇｈ  Ｄｅｆｉｎｉｔｉｏｎ  Ｔｅｌｅｖｉｓｉｏｎ；ＨＤＴＶ）等にとって代わられつつある。これらのデジタル装置は既に普及した家電製品である。
【０００３】
デジタル化の趨勢は、デジタルデータが保存に便利であるほか、圧縮技術により伝送できるデータ量が大きくなったことによる。例えばアナログテレビジョンのチャンネルはただ一つの番組しか放送できないが、デジタルテレビジョンチャンネルは、三つ、四つ或いはそれ以上の番組を放送でき、さらにデジタル化信号は非常に多くの信号処理方式により処理でき、これによりマルチメディアの応用が勃興発展した。そのうちオーディオビデオ及び表示システムは現在の消費市場の発展の主流である。いわゆるマルチメディアとは、文字、図表、画像、音声と動画等の情報を含み、情報の現出は少なくとも二種類以上のメディア内容で同時に表現され、ゆえにいわゆるマルチメディア情報と称される。
【０００４】
このほか、デジタル化には更にもう一つの主要な原因がある。それはアナログ信号を伝送処理過程する時、多くの雑音が累積して除去不能となるが、デジタル信号はこのような雑音を除去してもとの信号の品質ときれいさを維持することができ、これにより画面の品質が自然に十分に完全なものとなる。例えば数年前のアナログ式電話は国外からかける時、雑音が大き過ぎ、聴き取りにくいため、大声でなければ通話できない。現在、電話信号は既にデジタル化され、音声は隣にいるように明晰となり、ゆえにビデオ産業がアナログからデジタルに転移する時はますます多くのビデオ信号処理設備がアナログ信号をデジタル信号に変換させる機能を具備する必要がある。
【０００５】
現在アナログテレビジョンの標準には、Ｎａｔｉｏｎ  Ｔｅｌｅｖｉｓｉｏｎ  Ｓｙｓｔｅｍｓ  Ｃｏｍｍｉｔｔｅｅ（ＮＴＳＣ）及びＰｈａｓｅ  Ａｌｔｅｒｎａｔｉｏｎ
Ｌｉｎｅ（ＰＡＬ）の二種類の方式がある。日本或いはアメリカではＮＴＳＣ標準を採用し、それは５２５本の走査線により一つのフレームを形成し、さらに１秒に３０フレームの速度で重複表示を行なうものである。しかし一つのフレームを構成する５２５本の走査線は一回の走査で完成するのではなく、隔行走査の方式で一つのフレームを再生する。言い換えると、第１の走査線完成後に、続いて第２の走査線を完成するのではなく、第３、５、７の順序で進行し、第５２５の走査線に至り、その後、第２の走査線に戻り、その後に、第４、６、８の順序で重複進行する。これにより実際に滑らかで明晰なフレームを獲得でき、奇数、偶数、奇数の方式で構成されるため、隔行走査或いはインターレースのフォーマット方式と称される。
【０００６】
デインタレースビデオ信号は二つのフィールドで組成され、そのうち各一つのフィールドは画像の奇数線或いは画像の偶数線のみを含む。画像キャプチャの過程で、カメラはある瞬間に画像の奇数線を出力し、１６．７ミリ秒の後、画像の偶数線を出力する。画像の奇数線出力と偶数線出力の間に、一つの時間のシフト（ｔｅｍｐｏｒａｌ  ｓｈｉｆｔ）を発生しうる。この方式は静止画面に対しては良好なフレームを得られるが、移動するフレームに対しては、画像のエッジに鋸歯状（ｓｅｒｒａｔｉｏｎ）の画像を発生して画像を曖昧とする。このほか、奇数フィールドと偶数フィールドはもとの画像の半分の解析度しか有さず、各奇数フィールドと偶数フィールドは１／６０秒の速度で表示される。このような画面は人の眼で観ると、不自然さを感じさせないが、画面を一旦拡大すると、走査線の粗大が感じられ、さらには画面が曖昧となる。
【０００７】
前述のデインタレース走査或いは隔行走査の欠点は、現在、いわゆるプログレッシブ走査（ｐｒｏｇｒｅｓｓｉｖｅ  ｓｃａｎ）の技術により解決されている。プログレッシブ走査は、１、２、３から続いて５２５までの走査線に対して、全部の走査線を一回でプログレッシブ走査し、並びに１秒６０フレームの速度で再現する。これによりその走査速度は隔行走査の２倍となり、ゆえにフレームが５２５本の走査線を以てモニタ上に表示される。ゆえに画面が非常に繊細で明晰となる。これがプログレッシブ走査の最大の長所であり、これにより現在先進のオーディオビデオ設備のほとんどはこの方式を採用して走査と表示を行なっている。
【０００８】
しかし、現行のＮＴＳＣシステムのビデオ信号は、現在に至るまでデインタレース走査の方式が主流であり、このためもしデインタレース走査で組成されたフレームをプログレッシブ走査の表示システムで表示し、例えばデインタレース走査編集されたＤＶＤ映画を直接、高解析度テレビジョン（ＨＤＴＶ）で放送及び表示すると、奇数フィールドと偶数フィールドのフレームのみ表示でき、これにより画像の解析度が低くなる（もとの画像の半分の解析度しかない）。この問題を解決するためには、デインタレース（Ｄｅ−ｉｎｔｅｒｌａｃｅ）の技術の使用が必要である。言い換えると、デインタレースは、デインタレース走査をプログレッシブ走査に変換する方法である。例えば標準解析度テレビジョン（Ｓｔａｎｄａｒｄ  Ｄｅｆｉｎｉｔｉｏｎ  ＴＶ；ＳＤＴＶ）を高解析度テレビジョン（ＨＤＴＶ）に変換するときは、その走査線を４８０本のデインタレース走査（４８０ｉ）から７２０本のプログレッシブ走査（７２０ｐ）に引き上げる。編集グレードアップの変換は、デインタレース及び再サンプリング（ｒｅｓａｍｐｌｉｎｇ）の二つのステップで組成され、そのうちデインタレースはこの二つのステップ中で比較的複雑であり、これは奇数線及び偶数線のデインタレース走査画像が時間によりシフトするためであり、もし合併したとしても画像のミスアライメント（ｍｉｓａｌｉｇｎｍｅｎｔ）が発生する。このような画像のミスアライメントは修正されなければならず、それにより視覚上、人を満足させられるプログレッシブ画像を発生できる。このアライメントの修正の後の画像が発生した後、再サンプリングのプロセスによりウィーブ（ｗｅａｖｅ）して画像となす。
【０００９】
デインタレースの技術の使用はデインタレースシステムのプログレッシブシステム上での表示が発生する解析度不足の問題を解決する。しかし、無視できない状況も発生する。即ち、放送される画像全体が動いている時、もしこの点を理解せずに、強制的に奇数フィールドと偶数フィールドを重合させると、前述と同じ問題が発生し、静態画像部分は鮮明な画像が得られるが、動態画像の部分は曖昧で不自然となる現象が発生し、ゆえに高画質の表示が行なえなくなる。ゆえにデインタレース処理の技術上、二種類の基本のアルゴリズム、即ち無移動補償（ｎｏｎ−ｍｏｔｉｏｎ  ｃｏｍｐｅｎｓａｔｅｄ）と移動補償（ｍｏｔｉｏｎ  ｃｏｍｐｅｎｓａｔｅｄ）を選択することができる。
１．無移動補償デインタレースアルゴリズム
無移動補償のデインタレースアルゴリズムには二種類の最も基本の線形変換技術、いわゆるウィーブ（Ｗｅａｖｅ）とボブ（Ｂｏｂ）がある。そのうちウィーブは二種類の方法のうち、比較的簡単な方法である。
ウィーブは二つの入力フィールドを重畳（ｏｖｅｒｌａｉｄ）或いは一体にウィーブし、一つのプログレッシブフレームを発生する。この技術は静態画像を処理する時、異なるフィールドのエリア画像を完全にアライメントさせることができ、明晰なデインタレース画像を得ることができる。しかし、移動画像のエッジを処理する時は、明らかな鋸歯状或いは毛羽立ち（ｆｅａｔｈｅｒｉｎｇ）が発生する。これは移動画像は時間に伴いシフトするためである。ゆえに奇数画像と偶数画像をウィーブして一つのフレームとなす時は、奇数画像と偶数画像の間に時間シフトがあるため、奇数フィールドと偶数フィールドを一体にウィーブすると、画像のミスアライメントが発生する。ゆえに、鋸歯状或いは毛羽立ちが発生して曖昧ではっきりしないフレームとなる。このような明らかな鋸歯状或いは毛羽立ちの状況は、ブロードキャスト或いは専門のテレビジョン環境下では受け入れられない。
このほか、ボブ（Ｂｏｂ）は入力画像のそのうちの一つのフィールドしか受け入れず（例えばただ偶数線の画像のみを受け入れる）、もう一つのフィールド（即ち奇数線の画像）は破棄（ｄｉｓｃａｒｄｅｄ）される。これにより画像の垂直方向の解析度は７２０×４８６から７２０×２４３に下がる。これは半分の解析度の画像であり、即ち、隣り合う走査線の間の空隙空間（ｖｏｉｄｓ）を別の１線で補填することにより、７２０×４８６に戻すことができる。このアルゴリズムの長所は不自然動作（ｍｏｔｉｏｎ  ａｒｔｉｆａｃｔｓ）の画像を克服でき、並びに最小の計算要求を有することにある。その欠点は、入力画像の垂直解析度がインタレース後にもとの画像の半分しかなく、このためプログレッシブ画像の細部解析度が下がることである。
２．移動補償デインタレースアルゴリズム
最も好ましいデインタレース方法は移動補償である。この技術は現在既に先進のＳＤＴＶ（Ｓｔａｎｄａｒｄ  Ｄｅｆｉｎｉｔｉｏｎ  ＴＶ）及びハイファイ（ｈｉ−ｆｉ）のＤＴＶ編集変換に使用されている。移動補償デインタレースの方法はフィールド間（ｉｎｔｅｒ−ｆｉｅｌｄ）移動量を測定し、その後、ある時間中に二つの時間シフトフィールド中の画素を一つの共同点にシフトさせる。各画素のシフト量は参考移動評価（ｍｏｔｉｏｎ  ｅｓｔｉｍａｔｉｏｎ）により、そのうち、移動ベクトル（ｍｏｔｉｏｎ  ｖｅｃｔｏｒ）の確認と追跡は一つのフィールドからもう一つのフィールドに至る。これは典型的なブロックマッチングのプロセスにより実行され、典型的なブロックサイズは４×４から８×８画素である。このようなブロックの使用は、ある時間中にこれらの対応するサイズの画素ブロックが正確な空間位置に移送されるようにする意味がある。
【００１０】
動態ビデオ信号圧縮技術中、現在はＭＰＥＧの圧縮方法が使用されている。いわゆるＭＰＥＧはＭｏｔｉｏｎ  Ｐｉｃｔｕｒｅｓ  Ｅｘｐｅｒｔｓ  Ｇｒｏｕｐの略であり、その編集規格は、ビデオ、オーディオ及びシステムの三つの部分に分けられる。必要の増加により、ＭＰＥＧも不断に新しい標準が出現しており、例えばＭＰＥＧ１、ＭＰＥＧ２、ＭＰＥＧ４、ＭＰＥＧ７がある。
【００１１】
一般には、一つの連続放送される動態映画中、その前後の画像の関連性は非常に高く、これにより一連の動態の原子画像順序中、その前後の画像間には空間的（ｓｐａｔｉａｌ）相関性と時間的（ｔｅｍｐｏｒａｌ）相関性がある。ビデオ圧縮はこの二種類のデータの相関性に基づき、重複性（ｒｅｄｕｎｄａｎｃｙ）のデータを除去して圧縮の目的を達成する。空間上の重複性データ除去の方法は、通常は人類の視覚の特性に基づき、空間変換（例えば、デスクリートコジネ変換或いはウエーブレット変換）に量子化（Ｑｕａｎｔｉｚａｔｉｏｎ）の過程を加え、高周波に属する部分を除去し、圧縮の効果を達成する。時間上の重複性の除去は、運動評価（Ｍｏｔｉｏｎ  Ｅｓｔｉｍａｔｉｏｎ）の原理により、時間上の重複するデータを探し出し除去し、これにより圧縮の目的を達成する。ＭＰＥＧ圧縮（或いはエンコードと称される）の過程中、三種類の異なる方式により各フレームが圧縮される。即ちＩフレーム（Ｉｎｔｒａ−Ｆｒａｍｅ）、Ｂフレーム（Ｂｉ−ｄｉｒｅｃｔｉｏｎａｌ  ｆｒａｍｅ）及びＰフレーム（Ｐｒｅｄｉｃｔｅｄ  ｆｒａｍｅ）である。そのうち、Ｉフレームはその他のフレームとの間の関係を考慮する必要がなく、その保存するのは完全なフレームである。Ｐフレームは前のＩフレームを参考画像とし、フレーム中の重複する部分を再保存せず、異なる部分のみを保存する。Ｂフレームの原理はＰフレームの原理と同じであるが、唯一の違いはＢフレームは前のＩフレーム或いは前のＰフレームを参考とし、さらに後ろのＰフレームも参考とすることである。
【００１２】
画像の圧縮解除（即ち画像放送時）には、エンコードと反対のプロセスでデコードを行なう。その後、反量子化（Ｉｎｖｅｒｓｅ  Ｑｕａｎｔｉｚａｔｉｏｎ；ＩＱ）及び反離散余弦変換（Ｉｎｖｅｒｓｅ  ＤＣＴ；ＩＤＣＴ）を行ない、信号を圧縮前のデータストリームに回復させ、その後、これらのデータストリームを整合させた後、画像再建バッファ（ｖｉｄｅｏ  ｒｅｃｏｎｓｔｒｕｃｔｅｄ  ｉｍａｇｅ  ｂｕｆｆｅｒ）（或いはビデオイメージバッファと称される）に送り、最後に受け取ったデータを還元してもとのフレームとなす。
【００１３】
以上により、高画質のデインタレース動態画像を獲得する時は、非常に複雑な画像処理過程を経なければならず、これにより極めて大きな演算資源を消費することがわかる。ゆえに、パソコンにより高画質のデジタルオーディオビデオマルチメディア画像を放送する時は、パソコン内のＣＰＵが大部分の資源を画像のデインタレース処理に費やし、このためパソコンがその他の機能を実行できなくなる。これにより、パソコンシステム上の設計は、ほとんどが比較的簡単なアルゴリズムによりインタレース画像のデインタレース処理演算を行なっている。例えば、ボブ演算のみにより動態画像のデインタレース処理を行なう。こうして、パソコンシステム上でデジタルマルチメディアの画像を鑑賞できても、画質を大きく向上することはできない。このほか、デインタレース処理後の画像はすでに圧縮された画像を還元するため、得られる画像の周波数幅が増加し、パソコンの出力バスを介してディスプレイに出力できず、デインタレース後の画像を直接ディスプレイに接続して表示させるしかない。このため、デインタレースした画像をパソコンシステムを透過させて、デジタルビデオ番組を表示及び記録する機能のためには、デインタレース後の画像周波数幅を減らす必要があり、そうしなければデインタレース後の画像をパソコンシステムの出力バスを介して出力することができない。
【発明の開示】
【発明が解決しようとする課題】
【００１４】
前述の問題はパーソナルデジタル製品上で高画質のデジタルビデオ信号を処理及び表示できない、ということであり、これにより本発明はビデオ信号の高画質とパーソナルデジタル製品のシステム資源要求を下げることを考慮した方法とハードウエア構造を提供し、将来の先進のパーソナルコンピュータシステムにあって更に完全で、更に高い解析度を以てデジタルオーディオビデオマルチメディアを現出できるようにし、並びにテレビ番組を圧縮エンコードの処理の後にパソコンのハードディスクの小さな空間に保存できるようにする。
【００１５】
前述したように、本発明はパーソナルデジタル製品にデジタルオーディオビデオマルチメディアを記録及び表示させる方法を提供することを目的とし、それはデジタルオーディオビデオマルチメディアのシステムを透過し、パソコンシステムにデジタルマルチメディアの高画質の特性を表現させて、パソコンシステム上の演算資源を減らす方法である。
【００１６】
本発明のもう一つの目的は、パーソナルデジタル製品にデジタルオーディオビデオマルチメディアを記録及び表示させる方法を提供することを目的とし、それは、デジタルオーディオビデオマルチメディアのシステムを透過し、ブロードキャストテレビジョン番組を圧縮エンコードの処理の後に、パソコンのハードディスクの小さい空間に保存できるようにし、パソコンシステムに記録と再生の機能を具備させる方法である。
【００１７】
本発明のさらに一つの目的は、パーソナルデジタル製品にデジタルオーディオビデオマルチメディアを記録及び表示させる装置を提供することにあり、それは、異なる処理ユニットを組み合わせてデジタル化した特殊応用集積回路となし、パソコンシステムインタフェースと整合できるようにし、さらに設計の複雑度と製造のコストを下げられるようにした装置であるものとする。
【００１８】
以上の目的により、本発明はパーソナルデジタル製品にデジタルオーディオビデオマルチメディアを記録及び表示させる方法を提供し、それは、変調されたインタレースビデオ信号とアナログオーディオ信号の情報を提供し、このインタレースビデオ信号の復調とデインタレース処理を行ない、変換してデインタレースビデオ信号となす。同時にアナログオーディオ信号のデジタル変換を行ない、デジタルオーディオ信号を獲得する。続いてデインタレースビデオ信号とデジタルオーディオ信号の圧縮処理を行ない、圧縮処理したデインタレースビデオ信号とデジタルオーディオ信号を獲得する。続いて、圧縮したデインタレースビデオ信号とデジタルオーディオ信号を同期処理し、同期化した圧縮ビデオ信号と圧縮オーディオ信号を獲得する。最後にこの同期化した圧縮ビデオ信号と圧縮オーディオ信号を出力並びに表示する。
【００１９】
本発明はまたパーソナルデジタル製品にデジタルオーディオビデオマルチメディアを記録及び表示させる装置を提供する。それは、デジタルビデオ信号圧縮ユニット、デジタルオーディオ信号圧縮ユニット、ビデオ信号／オーディオ信号同期処理ユニットを具え、該デジタルビデオ信号圧縮ユニットはデインタレースの動態ビデオ信号に圧縮処理を行ない、このデインタレース動態ビデオ信号の使用する周波数幅を減らす。該デジタルオーディオ信号圧縮ユニットは、デジタルオーディオ信号を圧縮処理し、該デジタルオーディオ信号の使用する周波数幅を減らす。ビデオ信号／オーディオ信号同期処理ユニットは、この圧縮したデインタレースビデオ信号と圧縮したデジタルオーディオ信号を同期処理し、同期化した圧縮ビデオ信号と圧縮オーディオ信号を獲得し、並びにこの同期化した圧縮ビデオ信号と圧縮オーディオ信号を出力する。本発明の装置はさらに、デジタルビデオ信号デコードユニット、デインタレース処理ユニット、オーディオ信号アナログ／デジタル変換ユニット、及び出力バスインタフェースユニットを具え、出力バスインタフェースユニットにより、同期化した圧縮ビデオ信号と圧縮オーディオ信号を出力し、表示或いは保存に供する。
【課題を解決するための手段】
【００２０】
請求項１の発明は、パーソナルデジタル製品にデジタルオーディオビデオマルチメディアを記録及び表示させる方法において、
変調されたインタレースビデオ信号とアナログオーディオ信号の情報を提供し、
該変調されたインタレースビデオ信号に復調とデインタレース処理を行なってデジタル化したデインタレースビデオ信号に変換し、
該アナログオーディオ信号をデジタルオーディオ信号に変換し、
該デインタレースビデオ信号を圧縮処理して圧縮したデインタレースビデオ信号を獲得し、
該デジタルオーディオ信号を圧縮処理して圧縮したデジタルオーディオ信号を獲得し、  該圧縮したデインタレースビデオ信号と該圧縮したデジタルオーディオ信号を同期処理して同期化した圧縮ビデオ信号と圧縮オーディオ信号を獲得し、
この同期化した圧縮ビデオ信号と圧縮オーディオ信号を該パーソナルデジタル製品の処理ユニットに送り、該同期化した圧縮ビデオ信号と圧縮オーディオ信号の記録或いは表示を行なうか或いは記録と表示を同時に行なうかを決定することを特徴とする、パーソナルデジタル製品にデジタルオーディオビデオマルチメディアを記録及び表示させる方法としている。
請求項２の発明は、パーソナルコンピュータにデジタルオーディオビデオマルチメディアを記録及び表示させる方法において、
変調されたインタレースビデオ信号とアナログオーディオ信号の情報を提供し、
該変調されたインタレースビデオ信号に復調とデインタレース処理を行なってデジタル化したデインタレースビデオ信号に変換し、
該アナログオーディオ信号をデジタルオーディオ信号に変換し、
該デインタレースビデオ信号を圧縮処理して圧縮したデインタレースビデオ信号を獲得し、
該デジタルオーディオ信号を圧縮処理して圧縮したデジタルオーディオ信号を獲得し、  該圧縮したデインタレースビデオ信号と該圧縮したデジタルオーディオ信号を同期処理して同期化した圧縮ビデオ信号と圧縮オーディオ信号を獲得し、
この同期化した圧縮ビデオ信号と圧縮オーディオ信号を該パーソナルコンピュータのＣＰＵに送り、該同期化した圧縮ビデオ信号と圧縮オーディオ信号の記録或いは表示を行なうか或いは記録と表示を同時に行なうかを決定することを特徴とする、パーソナルコンピュータにデジタルオーディオビデオマルチメディアを記録及び表示させる方法としている。
請求項３の発明は、パーソナルデジタル製品にデジタルオーディオビデオマルチメディアを記録及び表示させる装置において、
デインタレースされた動態ビデオ信号に圧縮処理を行ない、このデインタレース動態ビデオ信号の使用する周波数幅を減らすデジタルビデオ信号圧縮ユニットと、
デジタルオーディオ信号を圧縮処理し、該デジタルオーディオ信号の使用する周波数幅を減らすデジタルオーディオ信号圧縮ユニットと、
この圧縮したデインタレースビデオ信号と圧縮したデジタルオーディオ信号を同期処理し、同期化した圧縮ビデオ信号と圧縮オーディオ信号を獲得し、並びにこの同期化した圧縮ビデオ信号と圧縮オーディオ信号を出力するビデオ信号／オーディオ信号同期処理ユニットと、
を具えたことを特徴とする、パーソナルデジタル製品にデジタルオーディオビデオマルチメディアを記録及び表示させる装置としている。
請求項４の発明は、パーソナルデジタル製品にデジタルオーディオビデオマルチメディアを記録及び表示させる装置において、
動態ビデオ信号をデインタレース処理してこのインタレースビデオ信号をデインタレースされた動態ビデオ信号に変換するデインタレース処理ユニットと、
このデインタレースされた動態ビデオ信号を圧縮処理してデインタレースされた動態ビデオ信号の使用する周波数幅を減らすデジタルビデオ信号圧縮ユニットと、
デジタルオーディオ信号を圧縮処理してこのデジタルオーディオ信号の使用する周波数幅を減らすデジタルオーディオ信号圧縮ユニットと、
この圧縮したデインタレースビデオ信号とこの圧縮したデジタルオーディオ信号を同期処理して、同期化した圧縮ビデオ信号と圧縮オーディオ信号を獲得し、この同期化した圧縮ビデオ信号と圧縮オーディオ信号を出力するビデオ信号／オーディオ信号同期処理ユニットと、
を具えたことを特徴とする、パーソナルデジタル製品にデジタルオーディオビデオマルチメディアを記録及び表示させる装置としている。
請求項５の発明は、パーソナルデジタル製品にデジタルオーディオビデオマルチメディアを記録及び表示させる装置において、
変調されたインタレースビデオ信号を復調してデジタル化した動態ビデオ信号を獲得するデジタルビデオ信号デコードユニットと、
この動態ビデオ信号にデインタレース処理を行なってデインタレースした動態ビデオ信号に変換するデインタレース処理ユニットと、
アナログオーディオ信号をデジタルオーディオ信号に変換するオーディオ信号アナログ／デジタル変換ユニットと、
該デインタレースした動態ビデオ信号を圧縮処理して該デインタレースした動態ビデオ信号の使用する周波数幅を減らすデジタルビデオ信号圧縮ユニットと、
該デジタルオーディオ信号を圧縮処理して該デジタルオーディオ信号の使用する周波数幅を減らすデジタルオーディオ信号圧縮ユニットと、
圧縮したデインタレースビデオ信号と圧縮したデジタルオーディオ信号を同期処理し、同期化した圧縮ビデオ信号と圧縮オーディオ信号を獲得するビデオ信号／オーディオ信号同期処理ユニットと、
同期化した圧縮ビデオ信号と圧縮オーディオ信号を出力して該同期化した圧縮ビデオ信号と圧縮オーディオ信号の表示に供する出力バスインタフェースユニットと、
パーソナルデジタル製品中に位置して該同期化した圧縮ビデオ信号と圧縮オーディオ信号を記録或いは表示するか、或いは記録と表示を同時に行なうかを制御するのに用いられる処理ユニットと、
を具えたことを特徴とする、パーソナルデジタル製品にデジタルオーディオビデオマルチメディアを記録及び表示させる装置としている。
【発明の効果】
【００２１】
本発明はビデオ信号の高画質とパーソナルデジタル製品のシステム資源要求を下げることを考慮した方法とハードウエア構造を提供し、将来の先進のパーソナルコンピュータシステムにあって更に完全で、更に高い解析度を以てデジタルオーディオビデオマルチメディアを現出できるようにし、並びにテレビ番組を圧縮エンコードの処理の後にパソコンのハードディスクの小さな空間に保存できるようにしている。
【００２２】
本発明はパーソナルデジタル製品にデジタルオーディオビデオマルチメディアを記録及び表示させる方法を提供し、それはデジタルオーディオビデオマルチメディアのシステムを透過し、パソコンシステムにデジタルマルチメディアの高画質の特性を表現させて、パソコンシステム上の演算資源を減らす方法である。
【００２３】
本発明はまた、パーソナルデジタル製品にデジタルオーディオビデオマルチメディアを記録及び表示させる方法を提供し、それは、デジタルオーディオビデオマルチメディアのシステムを透過し、ブロードキャストテレビジョン番組を圧縮エンコードの処理の後に、パソコンのハードディスクの小さい空間に保存できるようにし、パソコンシステムに記録と再生の機能を具備させる方法である。
【００２４】
本発明はさらに、パーソナルデジタル製品にデジタルオーディオビデオマルチメディアを記録及び表示させる装置を提供し、それは、異なる処理ユニットを組み合わせてデジタル化した特殊応用集積回路となし、パソコンシステムインタフェースと整合できるようにし、さらに設計の複雑度と製造のコストを下げられるようにした装置である。
【発明を実施するための最良の形態】
【００２５】
本発明で利用するインタレース、デインタレース及びＭＥＰＧ圧縮標準等に関係する技術と方法は、従来の技術の説明において詳細に説明した。ゆえに、以下にインタレース処理、デインタレース処理及びＭＰＥＧ圧縮技術に対する記載は完全なフローを含むものでない。また本発明はＭＰＥＧ圧縮技術を援用した既存のエンコード及びデコード技術に対しては、重点式の引用にとどめている。以下の文中のブロック図は実際の関係位置及び完全な接続図により描かれているわけではなく、その作用は僅かに本発明の特徴と関係のある部分を表示することにある。
【００２６】
本発明はパーソナルデジタル製品にデジタルオーディオビデオマルチメディアを記録及び表示させる方法を提供し、それは、変調されたインタレースビデオ信号とアナログオーディオ信号の情報を提供し、このインタレースビデオ信号の復調とデインタレース処理を行ない、変換してデインタレースビデオ信号となす。同時にアナログオーディオ信号のデジタル変換を行ない、デジタルオーディオ信号を獲得する。続いてデインタレースビデオ信号とデジタルオーディオ信号の圧縮処理を行ない、圧縮処理したデインタレースビデオ信号とデジタルオーディオ信号を獲得する。続いて、圧縮したデインタレースビデオ信号とデジタルオーディオ信号を同期処理し、同期化した圧縮ビデオ信号と圧縮オーディオ信号を獲得する。最後にこの同期化した圧縮ビデオ信号と圧縮オーディオ信号を出力並びに表示する。
【００２７】
本発明はまたパーソナルデジタル製品にデジタルオーディオビデオマルチメディアを記録及び表示させる装置を提供する。それは、デジタルビデオ信号圧縮ユニット、デジタルオーディオ信号圧縮ユニット、ビデオ信号／オーディオ信号同期処理ユニットを具え、該デジタルビデオ信号圧縮ユニットはデインタレースの動態ビデオ信号に圧縮処理を行ない、このデインタレース動態ビデオ信号の使用する周波数幅を減らす。該デジタルオーディオ信号圧縮ユニットは、デジタルオーディオ信号を圧縮処理し、該デジタルオーディオ信号の使用する周波数幅を減らす。ビデオ信号／オーディオ信号同期処理ユニットは、この圧縮したデインタレースビデオ信号と圧縮したデジタルオーディオ信号を同期処理し、同期化した圧縮ビデオ信号と圧縮オーディオ信号を獲得し、並びにこの同期化した圧縮ビデオ信号と圧縮オーディオ信号を出力する。本発明の装置はさらに、デジタルビデオ信号デコードユニット、デインタレース処理ユニット、オーディオ信号アナログ／デジタル変換ユニット、及び出力バスインタフェースユニットを具え、出力バスインタフェースユニットにより、同期化した圧縮ビデオ信号と圧縮オーディオ信号を出力し、表示或いは保存に供する。さらに、パーソナルデジタル製品中に位置する処理ユニットを具え、それはこの同期化した圧縮ビデオ信号と圧縮オーディオ信号の記録或いは表示する機能を有する。
【００２８】
本発明はまた、パーソナルデジタル製品にデジタルオーディオビデオマルチメディアを記録及び表示させるシステムを提供し、それは、変調したインタレースビデオ信号を復調処理して動態のビデオ信号を獲得するデジタルビデオ信号デコードユニットと、この動態のビデオ信号をデインタレース処理し、該インタレースビデオ信号をデインタレースの動態ビデオ信号に変換するデインタレース処理ユニットと、アナログオーディオ信号をデジタル変換してデジタルオーディオ信号を獲得するオーディオ信号アナログ／デジタル変換ユニットと、デインタレースした動態ビデオ信号を圧縮処理し、このデインタレース動態ビデオ信号が使用する周波数幅を減らすデジタルビデオ信号圧縮ユニットと、該デジタルオーディオ信号を圧縮してこのデジタルオーディオ信号の使用する周波数幅を減らすデジタルオーディオ信号圧縮ユニットと、この圧縮したデインタレースビデオ信号及び圧縮したデジタルオーディオ信号を同期処理して同期化した圧縮ビデオ信号と圧縮オーディオ信号を獲得するビデオ信号／オーディオ信号同期処理ユニットと、同期化した圧縮ビデオ信号と圧縮オーディオ信号を出力して表示に供する、出力バスインタフェースユニットと、パーソナルデジタル製品中に位置してこの同期化した圧縮ビデオ信号と圧縮オーディオ信号の記録或いは表示の機能を有するＣＰＵと、を具えている。
【実施例１】
【００２９】
図１から図４を参照されたい。そのうち、図１は本発明の具体的実施例のフローチャートであり、図２から図４は本発明の具体的実施例の機能ブロック図である。
【００３０】
まず、図１により本発明の方法を説明する。現在、マルチメディアの放送については、ＶＣＤ／ＤＶＤプレイヤー、パソコン中のＣＤ−ＲＯＭプレイヤー或いはケーブルＴＶプログラム及びブロードキャスト番組（Ｂｒｏａｄｃａｓｔｉｎｇ  Ｐｒｏｇｒａｍ）等の方式により伝送され、その伝送するデータ内容は、変調されたインタレースビデオ信号及びアナログオーディオ信号の二種類を含んでいる。これによりパーソナルデジタル製品は、その入力端がこの圧縮されたインタレースビデオ信号とアナログオーディオ信号を受け取り、これはステップ１１０に示されるとおりである。続いて、ステップ１２０のビデオ信号デコードと、ステップ１５０のオーディオ信号のデジタル化処理を行なう。
【００３１】
ビデオ信号については、ステップ１２０で受け取った変調インタレースビデオ信号を復調し、入力した変調インタレースビデオ信号をデジタル化して連続するインタレースフィールドを編集してなる動態画像とする。続いて、ステップ１３０でデコード後の動態画像をデインタレース処理し、例えばブロックマッチングアルゴリズムを利用してブロックを単位（ｂａｓｅ）として一連のデインタレース処理を行ない、これにより入力したインタレースビデオ信号をデインタレースの画像に変換する。さらに、ステップ１４０ですでにデインタレース処理した動態画像に圧縮及びエンコード処理を行ない、動態画像の占有する周波数幅を減らす。ここで採用する圧縮及びエンコードの方法はＭＰＥＧ系列及びモーションＪＰＥＧ（Ｍｏｔｉｏｎ  ＪＰＥＧ）等の多種類の規格とされうる。
【００３２】
受け取ったアナログオーディオ信号に関しては、先ずステップ１５０でアナログオーディオ信号をデジタル化し、その後、さらにステップ１６０でデジタル化したオーディオ信号をａｕｄｉｏの規格により圧縮及びエンコードする。これには例えば、ＭＰＥＧ−１、Ｌａｙｅｒ１，２，３、ＭＰＥＧ−２、ＡＣ３或いはアダプティブディファレンシャルパルスコードモジュレーション（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ；ＡＤＰＣＭ）等の規格を使用できる。ビデオ信号圧縮の比率とオーディオ信号圧縮の比率は異なり、これにより圧縮後のビデオ信号とオーディオ信号をステップ１７０で同期及び混合（Ｍｕｔｉｐｌｅｘ）処理する必要がある。その目的は、圧縮とエンコードの標準により、ビデオ信号とオーディオ信号にある一つの比率の混合処理を行ない、同期化した画像データストリームを獲得できるようにすることにある。
【００３３】
ＭＰＥＧ圧縮標準に関しては、そのビデオ信号の圧縮比率は必ずオーディオ信号の圧縮比率より大きく、これにより圧縮したビデオ信号ビットレートを圧縮したオーディオ信号ビットレートで除算し、その後、無条件進数の方式で整数を取得する。続いて、この整数の比例を用いてビデオ信号とオーディオ信号の同期及び混合処理を行ない、同期化した圧縮ビデオ信号と圧縮オーディオ信号の画像データストリームを獲得する。最後にこの同期化した画像データストリームをステップ１８０でメモリに保存するか、或いはステップ１９０で直接ディスプレイに表示する。
【００３４】
続いて、パソコンシステムを例として、本発明の具体的実施方式について説明する。並びに図２を参照されたい。図２は本発明のパソコンにデジタルオーディオビデオマルチメディアを記録及び表示させるシステム２０を示す。システム２０はＶＣＤ／ＤＶＤプレイヤー、パソコン中のＣＤ−ＲＯＭプレイヤー、或いはケーブルＴＶ番組及びブロードキャスト番組等の伝送方式中の変調されたアナログビデオ信号とアナログオーディオ信号を受け取り、その後、それぞれデジタルビデオ信号デコードユニット２１とオーディオ信号アナログ／デジタル変換ユニット２３で処理する。デジタルビデオ信号デコードユニット２１は変調されたインタレースビデオ信号を受け取ると、この変調ビデオ信号に対して復調（ｄｅｍｏｄｕｌａｔｉｏｎ）を行ない、デジタルビデオ信号デコードユニット２１が変調されたアナログビデオ信号を復調し並びにデジタル化した後にインタレースフレームが得られる。続いてデインタレース処理ユニット２２でフレームのデインタレース処理を行ない、もともとインタレースビデオ信号で組成されていた画像フレームをプログレッシブフレームに変換する。デインタレースに使用するデインタレース方法は、デフォルト法（ｄｅｆａｕｌｔ）とし、例えばウィーブアルゴリズム（Ｗｅａｖｅ  Ａｌｇｏｒｉｔｈｍ）の使用を予め内定（ｄｅｆａｕｌｔ）するか、外接コントロールインタフェース（未表示）によりデインタレース処理の方法を改変することもできる。続いて、デジタルビデオ信号圧縮ユニット２４でプログレッシブフレームに対して圧縮処理を行ない、例えばＭＰＥＧ２の圧縮標準を使用してプログレッシブ画像の圧縮を行ない、これにより圧縮処理したプログレッシブ画像を得て、並びに同期及び混合ユニット２６に送り処理に供する。
【００３５】
デジタルビデオ信号に対して、デインタレースと圧縮の一連の処理を行なうと同時に、本発明の提供するシステム２０は受け取ったアナログオーディオ信号をオーディオ信号アナログ／デジタル変換ユニット２３でデジタル化し、これによりデジタルオーディオ信号を獲得し、その後、デジタルオーディオ信号圧縮ユニット２５でビデオ信号圧縮の標準に対応し、デジタルオーディオ信号に対して圧縮処理を行ない、例えばＭＰＥＧ２のオーディオ信号圧縮標準でデジタルオーディオ信号の圧縮処理を行なう。その後、同期及び混合ユニット２６に送り処理に供する。
【００３６】
現在の圧縮標準中、ビデオ信号及びオーディオ信号の圧縮比の違いは異なるため、圧縮したビデオ信号とオーディオ信号を同期及び混合処理した後でなければ、マルチメディアのオーディオビデオを同期させてマルチメディアに対する放送或いは保存が行なえない。このため同期及び混合ユニット２６はデジタルビデオ信号圧縮ユニット２４とデジタルオーディオ信号圧縮ユニット２５の伝送した圧縮ビデオ信号と圧縮オーディオビデオを受け取ると、ある混合比を以て、圧縮ビデオ信号と圧縮オーディオ信号に対して等比例の混合処理を行ない、これにより同期化した圧縮ビデオ信号と圧縮オーディオ信号を獲得する。最後に、同期化した圧縮ビデオ信号と圧縮オーディオ信号をパソコンのバスインタフェースユニット２７に送り、同期化した圧縮ビデオ信号と圧縮オーディオ信号を快速データ伝送に符合する通用規格に変換し、バスにより伝送できるようにする。例えばＰＣＩ（Ｐｅｒｉｐｈｅｒａｌ  Ｃｏｍｐｏｎｅｎｔ  Ｉｎｔｅｒｃｏｎｎｅｃｔ）或いはＵＳＢのインタフェースを利用することで、同期化した圧縮ビデオ信号と圧縮オーディオ信号を表示する。
【００３７】
半導体技術の向上により、単位面積のメモリの容量はますます大きくなり、これにより現在パソコン中で使用されるハードディスクの容量も５０ギガバイトにまで達している。高画質のマルチメディア映画に関しては、その各フレームの解析度は少なくとも７２０×４８０画素が必要で、ゆえに一部の１２０分間のマルチメディア映画に使用が必要な保存空間は１２ギガバイト以上となり、このような大きな保存空間で一部映画を保存することは、ハードディスクのメモリ容量の使用上、あまり経済的でない。このため、本発明に記載のパーソナルデジタル製品にデジタルオーディオビデオマルチメディアを記録及び表示させるシステムは、その最も主要な目的を、一般のマルチメディア放送システムが伝送するインタレースビデオ信号をデインタレース処理してマルチメディアのフレームを高画質のプログレッシブフレームに変換し、その後、さらにプログレッシブフレームに圧縮処理を行ない、一部のマルチメディア映画を、僅かにもとの１０〜２０分の１の保存空間（即ち約６５０メガバイト〜１．２ギガバイト）で保存できるようにすることにある。このような保存空間は非常に経済的である。使用者がケーブルＴＶ或いはブロードキャストＴＶ中で放送されるデジタルマルチメディア映画を先に録画して鑑賞したい時は、本発明のシステムで録画し、映画をハードディスクに保存することができる。このほか、使用者がＶＧＡ表示インタフェースにより直接このデジタルマルチメディア映画を鑑賞したい時にも、デインタレース処理したプログレッシブフレームを、バスインタフェースユニットにより直接ディスプレイに送り表示することができる。パソコン中のＣＰＵ（図示せず）はプログレッシブ画像に対していかなる処理も行なわず、僅かにパソコンのシステムインタフェース（図示せず）によりプログレッシブフレームの記録或いは信号の放送或いは同時録画と放送を制御し、ゆえにＣＰＵの大部分の資源を占拠することがなく、これにより使用者はパソコンで事務処理を行ないながら鑑賞したい映画を録画できる。鑑賞時に、録画した番組をパソコンシステムに接続された高解析度テレビジョン（ＨＤＴＶ）で表示できるだけでなく、パソコンに続けて設定した作業を実行させることができ、パソコンの使用者にマルチメディアの娯楽を享受させると同時に、負担なくパソコンの演算資源を運用し、一般の処理を行なうことができるようにする。
【００３８】
もし使用者がパソコンのＣＤ−ＲＯＭプレイヤーによりＶＣＤ／ＤＶＤ映画を再生したい時は、ＣＤ−ＲＯＭプレイヤーがデジタルビデオ信号とオーディオ信号をデコードするため、すでにその出力する信号はデジタルインタレースビデオ信号とデジタルオーディオ信号を含む。このため、本発明のもう一つの具体的実施例中に記載のパーソナルデジタル製品にデジタルオーディオビデオマルチメディアを記録及び表示させる装置３０は、デインタレース処理ユニット２２、デジタルビデオ信号圧縮ユニット２４、デジタルオーディオ信号圧縮ユニット２５及び同期及び混合ユニット２６を具え、それは図３に示されるようであり、この装置３０中の各組成ユニットの機能は前述のシステム２０中のものと同じであるため説明は省略する。
【００３９】
このほか、もし使用者が先進のＤＶＤプレイヤーで再生したい時は、その出力するビデオ信号はすでにデインタレース処理され且つオーディオ信号もまたデジタル化されているため、本発明のさらに別の具体的実施例に記載のパーソナルデジタル製品にデジタルオーディオビデオマルチメディアを記録及び表示させる装置４０は、デジタルビデオ信号圧縮ユニット２４、デジタルオーディオ信号圧縮ユニット２５、及び同期及び混合ユニット２６を具え、これは図４に示されるようである。本発明の装置４０中の各組成ユニットの機能は前述のシステム２０中のものと同じであるため説明は省略する。
【００４０】
半導体製造技術が０．１３ミクロンの工程に突入したのに伴い、特殊応用集積回路（Ａｐｐｌｉｃａｔｉｏｎ  Ｓｐｅｃｉｆｉｃ  ＩＣ；ＡＳＩＣ）及びシステムオンチップ（Ｓｙｓｔｅｍ  Ｏｎ  ａ  Ｃｈｉｐ；ＳｏＣ）の技術もまたますます成熟してきた。このため、本発明の提供するパーソナルデジタル製品にデジタルオーディオビデオマルチメディアを記録及び表示させるシステムは一つのＳｏＣチップ上に整合可能である。本発明の提供するパーソナルデジタル製品にデジタルオーディオビデオマルチメディアを記録及び表示させる装置は、その各組成ユニットがいずれもディジタル信号を扱うため、ＡＳＩＣにより達成することもできる。
【００４１】
以上は本発明の好ましい実施例の説明であり、本発明の実施範囲を限定するものではなく、本発明に基づきなしうる細部の修飾或いは改変は、いずれも本発明の請求範囲に属するものとする。
【図面の簡単な説明】
【００４２】
【図１】本発明の本発明の具体的実施例のフローチャートである。
【図２】本発明の具体的実施例の機能ブロック図である。
【図３】本発明の具体的実施例の機能ブロック図である。
【図４】本発明の具体的実施例の機能ブロック図である。
【符号の説明】
【００４３】
２０  システム
２１  デジタルビデオ信号デコードユニット
２２  デインタレース処理ユニット
２３  オーディオ信号アナログ／デジタル変換ユニット
２４  デジタルビデオ信号圧縮ユニット
２５  デジタルオーディオ信号圧縮ユニット
２６  同期及び混合ユニット
２７  バスインタフェースユニット
３０、４０  装置
【図１】
2004336697.tif 000003
【図２】
2004336697.tif 000004
【図３】
2004336697.tif 000005
【図４】
2004336697.tif 000006